(57)【要約】      （修正有）【課題】持ち運びや保管がしやすく、しかも従来にない斬新な意匠的効果を発揮するブーケを提供する。【解決手段】透明プラスチックにより構成され、二つ割り可能な球体状の外殻１と、外殻の下方に垂設される持ち手１０と、外殻内に収容される花材３０によりブーケを構成する。【選択図】図２
0003229900.tif 000002
【実用新案登録請求の範囲】
【請求項１】
透明素材からなる球体状の外殻と、
上記の外殻の下方に垂設される持ち手と、
上記の外殻内に収容される花材からなることを特徴とするブーケ。
【請求項２】
外殻は透明プラスチックからなる請求項１記載のブーケ。
【請求項３】
花材には生花、プリザーブドフラワー、造花を含む請求項１または２に記載のブーケ。
【請求項４】
透明素材からなる球体にして二つ割り可能な外殻と、
上記の外殻の下方に着脱自在に垂下して固定される持ち手と、
上記の外殻内に収容される花材からなる請求項１から３のいずれかに記載のブーケ。
【請求項５】
透明素材からなる球体にして花材を出し入れするための開口を設けた外殻と、
上記の外殻の下方に着脱自在に垂下して固定される持ち手と、
上記の外殻内に収容される花材からなる請求項１から３のいずれかに記載のブーケ。
【請求項６】
中空状の持ち手の上方を外殻を受け止め可能な円形の開口を有する受け止め部とするとともに、外殻の一端に掛止用窓孔を設け、一端を持ち手の下方に、他端を上記の掛止用窓孔に掛止して紐体を外殻と持ち手間に張設することにより、外殻と持ち手の固定手段とした請求項４または５記載のブーケ。
【請求項７】
シート状の包装材をもって外殻の一部と持ち手の一部を被包した請求項１から６のいずれかに記載のブーケ。
【考案の詳細な説明】
【技術分野】
【０００１】
本願考案は花材を使用したブーケに関する。
【背景技術】
【０００２】
結婚式などの慶事やパーティ、贈り物などに使用されるものとしてブーケがある。
【０００３】
ブーケは生花、プリザーブドフラワー、造花などの花材を束ねた構成よりなり、複数本の花材の茎部分を束ねるとともに、花材の茎部と花部分の一部を布や紙製の包装材により包むことにより手持ち可能としたものである（特許文献１）。
【０００４】
一方、容器内に収容して飾るためにブーケを透明ボックス内に収容したもの（特許文献２）、持ち運びのためにブーケをペットボトル状の透明プラスチック製の瓶に収容したもの（特許文献３）、持ち運びのためにブーケを風船に収容したもの（特許文献４）などが公知である。
【先行技術文献】
【特許文献】
【０００５】
【特許文献１】実用新案登録第３１０６１３４号
【特許文献２】特開２００７−１０６４３０
【特許文献３】特開２００２−１９３３７０
【特許文献４】実公平７−４８６４
【考案の開示】
【考案が解決しようとする課題】
【０００６】
ブーケは花材からなるというその性質上、持ち運びや保管に際し花材が他のもののに触れないように最新の注意を払わなければならなかった。
【０００７】
持ち運びや保管に意を払ったものとしては瓶や風船を包装容器とした前記の公知技術が存するが、そのままでは見栄えが悪く、ブーケとして使用する際には包装容器から取り出さなければならなかった。
【０００８】
本願考案は前記の従来技術の問題点に鑑みて創作されたものであり、持ち運びや保管がしやすく、しかも従来にない斬新な意匠的効果を発揮するブーケを提供することを目的とする。
【課題を解決するための手段】
【０００９】
すなわち、本願考案のブーケは、
透明素材からなる球体状の外殻と、
上記の外殻の下方に垂設される持ち手と、
上記の外殻内に収容される花材からなることを特徴とする。
【００１０】
また、請求項４記載のブーケは、
透明素材からなる球体にして二つ割り可能な外殻と、
上記の外殻の下方に着脱自在に垂下して固定される持ち手と、
上記の外殻内に収容される花材からなることを特徴とする。
【００１１】
また、請求項５記載のブーケは、
透明素材からなる球体にして花材を出し入れするための開口を設けた外殻と、
上記の外殻の下方に着脱自在に垂下して固定される持ち手と、
上記の外殻内に収容される花材からなることを特徴とする。
【００１２】
また、請求項６記載の考案は前記のブーケにおいて、
中空状の持ち手の上方を外殻を受け止め可能な円形の開口を有する受け止め部とするとともに、外殻の一端に掛止用窓孔を設け、一端を持ち手の下方に、他端を上記の掛止用窓孔に掛止して紐体を外殻と持ち手間に張設することにより、外殻と持ち手の固定手段としたことを特徴とする。
【００１３】
また、請求項７記載の考案は前記のブーケにおいて、
シート状の包装材をもって外殻の一部と持ち手の一部を被包したことを特徴とする。
【考案の効果】
【００１４】
以上の構成よりなる本願考案のブーケにおいては、花材は透明素材からなる外殻に収容されるので持ち運びや保管がしやすいという効果を奏する。
【００１５】
さらに、外殻は球体状で、下には持ち手が垂設されるので、慶事での使用に際して持ち手を持った際にあたかも花材を収容した球体が手の上に載ったような斬新な視覚効果を得ることができる。
【００１６】
また、透明素材からなる外殻は球体状なので、慶事での使用に際して使用者がライトアップされた際に同時にライトアップされたブーケ内で外殻を透過した光が外殻内壁で乱反射して花材が照明されるので、使用者の動きに応じて照明が変化して花材がいろいろな表情を見せることとなり、花材が露出していた従来のブーケにはない斬新な視覚効果を得ることができる。
【図面の簡単な説明】
【００１７】
【図１】本願考案のブーケの第１実施例の斜視図。
【図２】同上、断面図。
【図３】同上、分解状態の断面図。
【図４】同上、外殻の分解状態の平面図。
【図５】同上、外殻の分解状態の平面図。
【図６】本願考案のブーケの第２実施例の一部切り欠き正面図。
【考案を実施するための最良の形態】
【００１８】
以下、本願考案のブーケの具体的実施例を添付図面に基づいて説明する。図１〜図５は本願考案のブーケの第１実施例を示す図である。
【００１９】
図中符号１は花材を収容する透明素材からなる外殻である。この外殻１はここではプラスチックにより構成され、二つ割り可能としている。すなわち、外殻１は半割りした分割部材１Ａと分割部材１Ｂを接合することにより構成される。ここでは分割部材１Ａの端面に突設した環状突起２Ａを分割部材２Ｂの端面に突設した環状溝２Ｂに嵌入することにより接合している（図４、図５参照）。
【００２０】
図中符号１０は前記の外殻１の下方に垂設される持ち手である。この持ち手１０はここでは外殻１の下方に着脱自在に垂下して固定している。すなわち、持ち手１０を中空状とし、上方を外殻１を受け止め可能な円形の開口を有する受け止め部１１とするとともに、外殻の一端に掛止用窓孔４Ａ、４Ｂを設け、一端を持ち手の下方の掛止用窓孔１３に、他端を上記の掛止用窓孔に掛止して紐体１２を外殻と持ち手間に張設することにより、外殻と持ち手を固定している。なお、図中符号３Ａ、３Ｂは上記の掛止用窓孔４Ａ、４Ｂを構成するために分割部材１Ａと分割部材１Ｂに突設される突片である。
【００２１】
以上の構成において、ブーケの組み立てにおいては、生花、プリザーブドフラワー、造花などの花材３０をオアシス（花材を挿すスポンジ）３１上に固定して収容した状態で、分割部材１Ａと分割部材１Ｂを接合して外殻１を組み立て（図３参照）、さらに紐体１２をもって外殻に対し持ち手１０を固定し、最後に布または紙などからなるシート状の包装材２０を外殻の一部と持ち手の一部に被包して完成させる。
【００２２】
なお、外殻１はプラスチックでなくガラスにより構成してもよいことはもちろんである。また、分割部材の接合手段は前記した手段に限らないことはもちろんである。
【００２３】
次に図６は本願考案のブーケの第２実施例を示す図である。この実施例においては外殻４０を二つ割りしないで、一面に花材３０を出し入れするための開口４１を設けている。ここでは上記開口を塞ぐための蓋体４２を図示しているが、この蓋体を用いなくてもよいことは勿論である。なお、図中符号４４は掛止用窓孔、４３は上記掛止用窓孔を構成するための突片である。
【符号の説明】
【００２４】
１      外殻
１Ａ    分割部材
２Ａ    環状突起
３Ａ    突片
４Ａ    掛止用窓孔
１Ｂ    分割部材
２Ｂ    環状溝
３Ｂ    突片
４Ｂ    掛止用窓孔
１０    持ち手
１１    受け止め部
１２    紐体
１３    掛止用窓孔
２０    包装材
３０    花材
３１    オアシス
（以上第１実施例）
４０    外殻
４１    開口
４２    蓋体
４３    突片
４４    掛止用窓孔
（以上第２実施例）
【図１】
0003229900.tif 000003
【図２】
0003229900.tif 000004
【図３】
0003229900.tif 000005
【図４】
0003229900.tif 000006
【図５】
0003229900.tif 000007
【図６】
0003229900.tif 000008